(57)【要約】【課題】ユーザが操作を誤ってメンテナンスモードに移行する可能性を従来よりも低減することのできる流量計を提供する。【解決手段】流量計１は、状態キー５１、下キー５２、上キー５３、及び入力キー５４を有する操作部４ｂと、状態キー５１、下キー５２、上キー５３、及び入力キー５４のうち少なくとも２つのキーが、所定時間以上、例えば３秒以上同時に操作されたときに、メンテナンスモードへ移行するＣＰＵ３１と、を備える。【選択図】図７
2009115807.tif 000002
【特許請求の範囲】
【請求項１】
複数の操作手段と、
前記複数の操作手段のうち少なくとも２つの操作手段が、所定時間以上同時に操作されたときに、メンテナンスモードへ移行する移行手段と、を備える
流量計。
【請求項２】
前記移行手段により前記メンテナンスモードへ移行したときに、前記メンテナンスモードに移行したことを示す情報を表示する表示手段を備える
請求項１に記載の流量計。
【請求項３】
前記移行手段は、前記複数の操作手段のうち少なくとも１つの操作手段に対する操作に基づいて、表示モード及び設定モードのうち何れか一方のモードへ移行する
請求項２に記載の流量計。
【請求項４】
前記移行手段により前記メンテナンスモードへ移行したときに、前記複数の操作手段のうち少なくとも１つの操作手段に対する操作に基づいて、所定の処理を実行する実行手段を備える
請求項３に記載の流量計。
【請求項５】
前記所定の処理は、前記表示モード又は前記設定モードのときに実行される処理と異なる
請求項４に記載の流量計。
【請求項６】
前記実行手段は、前記移行手段により前記設定モードへ移行したときに、前記複数の操作手段のうち少なくとも１つの操作手段に対する操作に基づく情報を設定する
請求項４又は５に記載の流量計。
【請求項７】
所定流路を流れる被測定流体の流量を検出する流量検出手段を備え、
前記実行手段は、前記移行手段により前記表示モードへ移行したときに、流量検出手段により検出された流量に関する情報を前記表示手段に表示させる
請求項３乃至６の何れか一項に記載の流量計。
【請求項８】
前記移行手段は、前記メンテナンスモードと、前記表示モードと、前記設定モードとの間で相互に移行可能である
請求項３乃至７の何れか一項に記載の流量計。
【発明の詳細な説明】
【技術分野】
【０００１】
本発明に係るいくつかの態様は、例えば気体・液体等の被測定流体を検出する流量計に関する。
【背景技術】
【０００２】
従来、この種の流量計は、流量計のユーザが操作するためのモード（以下、「通常モード」ということがある）と、流量計のメーカによって認定されたメンテナンス担当者が操作するためのメンテナンスモードとを備えており、ユーザには知らされていない所定の操作により、通常モードからメンテナンスモードへと移行するようになっていた。しかし、ユーザが操作を誤り、意図せずに又は偶然に、通常モードからメンテナンスモードへと移行してしまうという問題があった。また、かかる場合に、メンテナンスモードへ移行したことがユーザに知らされないため、本来変更されるべきではない機能やパラメータ等の情報が設定されるおそれもあった。
【０００３】
この問題を解決するために、通常モードとメンテナンスモードとの切り換えを行う切換ボタンを備えるリモコンにおいて、切換ボタンを一定時間例えば３秒間長押しすることによりメンテナンスモードに移行し、ユーザが操作を誤ってメンテナンスモードに移行する可能性を低減できるようにした空気調和器が知られている（例えば、特許文献１参照）。
【特許文献１】特開２００８−２４９３２７号公報
【発明の開示】
【発明が解決しようとする課題】
【０００４】
しかしながら、特許文献１に記載されたようなものでは、メンテナンスモードへの移行が１つのキーに対する操作により行われるので、そのキーに触れる等、ユーザが操作を誤ってメンテナンスモードに移行する可能性を十分に低減することができなかった。
【０００５】
本発明のいくつかの態様は前述の問題に鑑みてなされたものであり、ユーザが操作を誤ってメンテナンスモードに移行する可能性を従来よりも低減することのできる流量計を提供することを目的の１つとする。
【課題を解決するための手段】
【０００６】
本発明に係る流量計は、複数の操作手段と、複数の操作手段のうち少なくとも２つの操作手段が、所定時間以上同時に操作されたときに、メンテナンスモードへ移行する移行手段と、を備える。
【０００７】
かかる構成によれば、複数の操作手段のうち少なくとも２つの操作手段が、所定時間以上同時に操作されたときに、流量計がメンテナンスモードへ移行する。ここで、１つの操作手段に対して誤って所定時間以上操作する可能性と比較して、２つ以上の操作手段に対して誤って所定時間以上同時に操作する可能性は格段に低い。また、所定時間を十分長く設定することで、また同時に操作する操作する操作手段の数をより多く設定することで、その可能性は更に低くなる。従って、ユーザが操作を誤って流量計がメンテナンスモードへ移行する可能性を従来よりも低減することができる。
【０００８】
また、前述の流量計において、移行手段によりメンテナンスモードへ移行したときに、メンテナンスモードへ移行したことを示す情報を表示する表示手段を備えるようにしてもよい。
【０００９】
かかる構成によれば、移行手段によりメンテナンスモードへ移行したときに、メンテナンスモードへ移行したことを示す情報が表示手段に表示されるので、メンテナンスモードに移行したことをユーザに報知することができる。これにより、ユーザが操作を誤ってメンテナンスモードに移行した場合でも、メンテナンスモードにおける各種機能や各種パラメータ等の情報が誤って設定される等の更なる誤操作の可能性を低減することができる。
【００１０】
また、前述の流量計において、移行手段は、複数の操作手段のうち少なくとも１つの操作手段に対する操作に基づいて、表示モード及び設定モードのうち何れか一方のモードへ移行するように構成してもよい。
【００１１】
かかる構成によれば、複数の操作手段のうち少なくとも１つの操作手段に対する操作に基づいて、表示モード及び設定モードのうち何れか一方のモードへ移行するので、ユーザが任意の操作手段を操作することにより、表示モード又は設定モードの所望のモードへ移行することが可能となる。
【００１２】
また、前述の流量計において、移行手段によりメンテナンスモードへ移行したときに、複数の操作手段のうち少なくとも１つの操作手段に対する操作に基づいて、所定の処理を実行する実行手段を備えるようにしてもよい。
【００１３】
かかる構成によれば、移行手段によりメンテナンスモードへ移行したときに、複数の操作手段のうち少なくとも１つの操作手段に対する操作に基づいて、所定の処理が実行されるので、例えば他のモードでは実行できない処理をメンテナンスモードのみで実行させることが可能となる。これにより、メンテナンス担当者のみがメンテナンスモード固有の処理を実行することができる。
【００１４】
また、前述の前記流量計において、所定の処理は、表示モード又は設定モードのときに実行される処理と異なるように構成してもよい。
【００１５】
かかる構成によれば、所定の処理が、表示モード又は設定モードのときに実行される処理と異なるので、ユーザが同じ操作をした場合でも、メンテナンスモードと、表示モード又は設定モードとで異なる処理を実行することができる。
【００１６】
また、前述の前記流量計において、実行手段は、移行手段により設定モードへ移行したときに、複数の操作手段のうち少なくとも１つの操作手段に対する操作に基づく情報を設定するように構成してもよい。
【００１７】
かかる構成によれば、移行手段により設定モードへ移行したときに、複数の操作手段のうち少なくとも１つの操作手段に対する操作に基づく情報が設定されるので、ユーザが任意の操作手段を操作することにより、各種機能や各種パラメータ等の所望の情報を設定することが可能となる。
【００１８】
また、前述の流量計において、所定流路を流れる被測定流体の流量を検出する流量検出手段を備え、実行手段は、移行手段により表示モードへ移行したときに、流量検出手段により検出された流量に関する情報を表示手段に表示させるように構成してもよい。
【００１９】
かかる構成によれば、移行手段により表示モードへ移行したときに、流量検出手段により検出された流量に関する情報が表示手段に表示されるので、検出された流量に関する情報をユーザに報知することができる。
【００２０】
また、前述の流量計において、移行手段は、メンテナンスモードと、表示モードと、設定モードとの間で相互に移行可能であるように構成してもよい。
【００２１】
かかる構成によれば、メンテナンスモードと、表示モードと、設定モードとの間で相互に移行可能であるので、何れのモードからでも所望のモードへ移行することができる。
【発明の効果】
【００２２】
本発明によれば、ユーザが操作を誤ってメンテナンスモードに移行する可能性を従来よりも低減することができる。これにより、メンテナンスモードにおける各種機能や各種パラメータ等の情報が誤って設定される可能性を低減することができる。
【発明を実施するための最良の形態】
【００２３】
以下に本発明の実施の形態を説明する。以下の図面の記載において、同一又は類似の部分には同一又は類似の符号で表している。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００２４】
本実施形態における流量計は、例えば被測定流体であるガスの瞬時流量を検出するとともに、検出した瞬時流量を積算してガスの使用量を算出する積算流量計である。
【００２５】
図１乃至図４に示すように、流量計１は、ガスが流通する配管Ｐの一部に取り付けられて流路を形成する流量計ボディ部２と、流量計ボディ部２に接続され、流れセンサ１２や制御部３０等を有する計測部３と、を主たる構成として備える。
【００２６】
図２乃至図４に示すように、流量計ボディ部２は、略直方体形状を呈する筐体であり、ガスが流通する断面円形の管路７、管路７の途中に形成された絞り機構８、管路７の上側（計測部３が接続される側）に形成された流路であって、絞り機構８を挟んで上流側及び下流側の位置に形成され、管路７と外部とを連通させる分岐流路９、１０等を有する。管路７の上流側及び下流側には、配管Ｐが捩じ込み接続される。絞り機構８は、管路７の内径よりも小さい内径を有しており、上流側の配管Ｐから下流側の配管Ｐへと流通するガスに絞り機構８の前後で差圧を発生させるように機能する。
【００２７】
図２及び図４に示すように、流量計ボディ部２の上面には、平面視略円形状で所定深さの凹部２ａが形成されており、この凹部２ａには、計測部３のバイパス流路形成部３ｂ（後述）が嵌め込まれる。絞り機構８よりも上流側に配置された分岐流路９は、流量計ボディ部２内部側の小径部と流量計ボディ部２外部側の大径部とから構成されており、計測部３のバイパス流路形成部３ｂのバイパス流路３ｃ（後述）に連通接続される。絞り機構８よりも下流側に配置された分岐流路１０も、同様に流量計ボディ部２内部側の小径部と流量計ボディ部２外部側の大径部とから構成され、バイパス流路３ｃに連通接続される。
【００２８】
図１乃至図４に示すように、計測部３は、略直方体形状を呈する筐体を有しており、この筐体の上側（流量計ボディ部２と反対側）には、表示部４ａ及び操作部４ｂを有する表示操作パネル４が設けられている。図７に示すように、表示部４ａは、各種情報を最大５桁の数字又は英字で表示する７セグメントディスプレイ４１と、７セグメントディスプレイ４１に表示する情報の種類を示し、積算流量表示灯４２及び瞬時流量表示灯４３から構成される表示灯と、メンテナンスモードへ移行したことを示す警報表示灯４４とを有する。７セグメントディスプレイ４１は、ガスの瞬時流量（Ｌ／ｍｉｎ）や瞬時流量の積算値（Ｌ）等の検出されたガスの流量に関する情報をリアルタイムで表示する。操作部４ｂは、モードを移行するための状態キー５１と、各種情報を指定するための下キー５２及び上キー５３と、入力キー５４とを有する。それぞれのキーが本発明の「操作手段」に対応している。
【００２９】
図１乃至図４に示すように、計測部３を構成する筐体の側面には、給電用及び各種信号送受信用のケーブルＣを接続させるためのケーブル接続部５が設けられている。また、計測部３を構成する筐体の下側（流量計ボディ部２が接続される側）には、板状部３ａが固定されている。図２及び図４に示すように、計測部３の板状部３ａと、流量計ボディ部２に形成され相互に重ねられたネジ孔とにネジ６が螺入されることにより、計測部３が流量計ボディ部２に固定される。
【００３０】
図４に示すように、計測部３の板状部３ａと流量計ボディ部２との間には、バイパス流路形成部３ｂが配置される。バイパス流路形成部３ｂは、流量計ボディ部２の凹部２ａに嵌め込まれるような平面視略円形状の薄型の部材であり、その下面には、流量計ボディ部２の分岐流路９、１０に連通接続されるバイパス流路３ｃが形成されている。流量計ボディ部２の上流側の管路７を流通するガスは、絞り機構８の前後の差圧によりその一部が上流側の分岐流路９を経由して計測部３のバイパス流路３ｃに流入し、その後、流量計ボディ部２の下流側の分岐流路１０を経由して下流側の管路７にバイパスされるようになっている。主流路である管路７に流れる流量とバイパス流路３ｃに流れる流量との比率（分流比）は、計算あるいは実測によって予め特定しておく必要がある。なお、流量計ボディ部２の凹部２ａ内であってバイパス流路形成部３ｂの周囲には、図２及び図４に示すようなパッキン１１が嵌め込まれ、このパッキン１１により、計測部３の板状部３ａと流量計ボディ部２の凹部２ａとから形成される空間の気密性が確保される。
【００３１】
計測部３の底面に固定された板状部３ａの中央部には、流れセンサ１２が設けられている。流れセンサ１２は、バイパス流路３ｃを流通するガスの流速又は流量（瞬時流量）を検出する。流れセンサ１２としては、種々の構成を採用することができ、本実施形態においては、ダイヤフラムを有する熱式流量センサを採用している。
【００３２】
図５及び図６に示すように、流れセンサ１２は、キャビティ２６が設けられた基板２０、基板２０上にキャビティ２６を覆うように配置された絶縁膜２５、絶縁膜２５に設けられたヒータ２１、ヒータ２１より上流側に設けられた上流側測温抵抗素子２２、ヒータ２１より下流側に設けられた下流側測温抵抗素子２３、上流側測温抵抗素子２２より上流側に設けられた周囲温度センサ２４等を有する。
【００３３】
絶縁膜２５のキャビティ２６を覆う部分は、熱容量が小さく、基板２０に対して断熱性を有するダイヤフラムを構成している。周囲温度センサ２４は、バイパス流路３ｃに流入してきた流体の温度を測定する。ヒータ２１は、キャビティ２６を覆う絶縁膜２５の中心に配置されており、周囲温度センサ２４が計測した流体の温度よりも一定温度、例えば１０℃高くなるように加熱される。上流側測温抵抗素子２２はヒータ２１より上流側の温度を検出するために用いられ、下流側測温抵抗素子２３はヒータ２１より下流側の温度を検出するために用いられる。
【００３４】
ここで、図４に示すバイパス流路３ｃ中の流体が静止している場合、図５及び図６に示すヒータ２１で加えられた熱は、上流方向と下流方向へ対称的に拡散する。従って、上流側測温抵抗素子２２及び下流側測温抵抗素子２３の温度は等しくなり、上流側測温抵抗素子２２及び下流側測温抵抗素子２３の電気抵抗は等しくなる。これに対し、バイパス流路３ｃ中の流体が上流から下流に流れている場合、ヒータ２１で加えられた熱は、下流方向に運ばれる。従って、上流側測温抵抗素子２２の温度よりも、下流側測温抵抗素子２３の温度が高くなる。そのため、上流側測温抵抗素子２２の電気抵抗と下流側測温抵抗素子２３の電気抵抗との間に差が生じる。下流側測温抵抗素子２３の電気抵抗と上流側測温抵抗素子２２の電気抵抗の差は、バイパス流路３ｃ中の流体の速度や流量と相関関係がある。そのため、下流側測温抵抗素子２３の電気抵抗と上流側測温抵抗素子２２の電気抵抗の差から、バイパス流路３ｃを流れる流体の速度や流量が算出される。なお、バイパス流路３ｃを流れる流体の速度に、バイパス流路３ｃの断面積を乗じることにより、瞬時流量（Ｌ／ｍｉｎ）が算出され、さらに分流比に基づいて主流路である管路７の瞬時流量（Ｌ／ｍｉｎ）が算出される。
【００３５】
図５及び図６に示す基板２０の材料としては、シリコン(Ｓｉ)等が使用可能である。絶縁膜２５の材料としては、酸化ケイ素(ＳｉＯ2)等が使用可能である。キャビティ２６は、異方性エッチング等により形成される。またヒータ２１、上流側測温抵抗素子２２、下流側測温抵抗素子２３及び周囲温度センサ２４の各材料には白金(Ｐｔ)等が使用可能であり、リソグラフィ法等により形成可能である。
【００３６】
また、図７に示すように、計測部３は、各種電子機器を統合制御する制御部３０を有する。制御部３０は、中央演算処理装置（以下、「ＣＰＵ」という）３１、設定操作や演算処理のためのアルゴリズムのほか、各種制御プログラムや各種情報が予め書き込まれているＲＯＭ３２、情報をバックアップのために記憶するＥＥＰＲＯＭ３３、流れセンサ１２で検出された瞬時流量に関する情報のほか、タイマ３７で計測した経過時間に関する情報を記憶するＲＡＭ３４、流量計１の外部との間で制御信号等の入出力を行う入出力インターフェース３５、流量計１の外部との間で情報の送受信を行う通信部３６、任意の基準時からの経過時間を計測するタイマ３７等を有する。ＥＥＰＲＯＭ３３は、ＲＡＭ３４と同様に、流れセンサ１２で検出した瞬時流量に関する情報やタイマ３７で計測した経過時間に関する情報をバックアップとして記憶し、ＥＥＰＲＯＭ３３に記憶した情報は、外部の装置によって読み込まれるようにしてもよい。また、ＥＥＰＲＯＭ３３は、流量計１に対して取り外し可能に装着されるようにしてもよい。
【００３７】
ＣＰＵ３１は、ＲＯＭ３２内の各種制御プログラムを読み込んで、種々の情報処理や機器の制御を行う。具体的には、ユーザによる操作部４ｂの操作に基づいて、複数のモード間を移行し、各モードに応じた処理を実行したりする。
【００３８】
例えば、流量計１が起動していて、ガスの瞬時流量を検出していない状態（以下、「初期モード」という）において、ユーザが操作部４ｂの状態キー５１を短い時間、たとえば１秒未満押すと、ＣＰＵ３１は、表示モードへ移行し、表示モードにおける情報処理を実行する。すなわち、ＣＰＵ３１は、タイマ３７を作動させて、ユーザによる操作入力があった時点（任意の基準時）からの経過時間の計測を開始させるとともに、流れセンサ１２によるガスの瞬時流量の検出を開始させる。ＣＰＵ３１は、図８に示すように、所定の検出間隔ごとに流れセンサ１２においてガスの瞬時流量（Ｑ1、Ｑ2、……、ＱN-1、ＱN）を検出させ、検出された瞬時流量（Ｑ1、Ｑ2、……、ＱN-1、ＱN）をＲＡＭ３４に記憶する。なお、ＣＰＵ３１は、流れセンサ１２における検出値（バイパス流路３ｃを流通するガスの瞬時流量）を、所定の変換式を用いて、管路７を流通するガスの瞬時流量に変換し、この変換値をＲＡＭ３４に記憶している。また、流れセンサ１２における瞬時流量の検出間隔（サンプリング周期）は、流量計１の仕様や使用状況等に応じて適宜変更するようにしてもよい。以下の説明において、特に明示する場合を除き、ＣＰＵ３１によって変換された管路７を流通するガスの瞬時流量を、「検出された瞬時流量」とする。
【００３９】
また、後述する設定モードにおいて瞬時流量表示が設定された場合に、図９（Ａ）に示すように、ＣＰＵ３１は、表示部４ａの瞬時流量表示灯４３を点灯させ、検出された瞬時流量（２４８［Ｌ／ｍｉｎ］）を７セグメントディスプレイ４１にリアルタイムで表示させる。一方、後述する設定モードにおいて積算流量表示が設定された場合に、図９（Ｂ）に示すように、ＣＰＵ３１は、表示部４ａの積算流量表示灯４２を点灯させ、検出された瞬時流量の積算値（７５９０［Ｌ］）を７セグメントディスプレイ４１に表示する。なお、瞬時流量の積算値が６桁以上となる場合には、ＣＰＵ３１は、６桁以上の上桁と５桁以下の下桁とを分けて所定時間毎に交互に７セグメントディスプレイ４１に表示させるようにする。
【００４０】
ＣＰＵ３１は、ユーザが操作部４ｂの状態キー５１を再度押すまで、以上に説明した瞬時流量を検出する処理を実行する。なお、ユーザが操作部４ｂの状態キー５１を再度押したときに、ＣＰＵ３１は、例えば図８に示したように、ＲＡＭ３４に記憶されたガスの瞬時流量（Ｑ1、Ｑ2、……、ＱN-1、ＱN）に基づいて、検出期間（０〜ＴN）における最大値ＱMAX、最小値ＱMIN、及び平均値ＱAVE等を算出してＲＡＭ３４に記憶し、記憶された最大値ＱMAX、最小値ＱMIN、及び平均値ＱAVE等を７セグメントディスプレイ４１に表示するようにしてもよい。
【００４１】
また、初期モードにおいて、ユーザが操作部４ｂの状態キー５１を長い時間、たとえば３秒以上押すと、ＣＰＵ３１は、設定モードへ移行し、ユーザによる操作部４ｂの操作に基づいて、設定モードにおける情報処理を実行する。すなわち、ＣＰＵ３１は、流量計１のユーザが設定することを目的とした各種機能や各種パラメータ等の情報を設定する。例えば、ＣＰＵ３１は、操作部４ｂの下キー５２又は上キー５３に対する操作により、図９（Ａ）に示したように、表示部４ａの瞬時流量表示灯４３を点灯させ、７セグメントディスプレイ４１に瞬時流量をリアルタイムで表示させる、瞬時流量表示の情報を設定したり、図９（Ｂ）に示したように、表示部４ａの積算流量表示灯４２を点灯させ、７セグメントディスプレイ４１に積算流量をリアルタイムで表示させる、積算流量表示の情報を設定したりする。
【００４２】
さらに、初期モードにおいて、ユーザが操作部４ｂの状態キー５１及び下キー５２を同時に長い時間、たとえば３秒以上押すと、ＣＰＵ３１は、メンテナンスモードへ移行し、ユーザによる操作部４ｂの操作に基づいて、メンテナンスモードにおける情報処理を実行する。すなわち、ＣＰＵ３１は、流量計１のメーカが認定したメンテンス担当者が設定することを目的とした各種機能や各種パラメータ等の情報を設定する。メンテナンスモードにおいて設定可能な情報は、設定モードにおいて設定可能な情報とは異なる。また、ＣＰＵ３１は、メンテナンスモードへ移行したときに、図１０に示すように、表示部４ａの警報表示灯４４を点灯させる。なお、ＣＰＵ３１は、警報表示灯４４の点灯に代えて、面点ナンスモードへ移行したことを示すメッセージを７セグメントディスプレイ４１に表示させるようにしてもよい。また、メンテナンスモードへの移行は、２つのキーを所定時間以上同時に押す場合に限定されず、３つ以上のキー、例えばユーザが操作部４ｂの状態キー５１、下キー５２、及び入力キーを同時に長い時間、たとえば５秒以上押すことにより、ＣＰＵ３１は、メンテナンスモードへ移行するようにしてもよい。
【００４３】
本実施形態では、初期モードから表示モード、設定モード、又はメンテナンスモードへ移行する実施例を説明したが、これに限定されず、ＣＰＵ３１は、表示モード又は設定モードからメンテナンスモードへ移行するようにしてもよい。また、ＣＰＵ３１は、初期モードと、表示モードと、設定モードと、メンテナンスモードとの間で相互に移行するようにしてもよい。
【００４４】
また、ディスプレイを一組だけ用いた実施例を説明したが、これに限定されず、コストが許せば二組のディスプレイを用いるとよい。一方のディスプレイに経過時間の情報を表示し、他方のディスプレイに対応する流量に関する情報を表示すれば視認性が向上する。あるいは、一方のディスプレイに表示項目を文字表示し、他方のディスプレイに数値を表示すれば視認性が向上する。さらに、液晶ディスプレイやドットマトリックス型ディスプレイ等、複数の項目の表示が可能なディスプレイを用いて認識性を向上させることも可能である。
【００４５】
また、ＣＰＵ３１は、ＲＡＭ３４に記憶させた各種情報（瞬時流量に関する情報やこの瞬時流量に対応する経過時間に関する情報等）を、通信部３６を介して、無線通信方式や有線通信方式により、流量計１の外部の装置、例えば流量計１に対する各種機能の設定や流量積算値の自動検針を行うための携帯式端末装置等に転送するようにしてもよい。
【００４６】
このように、本実施形態における流量計１によれば、操作部４ｂの少なくとも２つのキーが、所定時間以上同時に操作されたときに、流量計１がメンテナンスモードへ移行する。ここで、１つのキーに対して誤って所定時間以上操作する可能性と比較して、２つ以上のキーに対して誤って所定時間以上同時に操作する可能性は格段に低い。また、所定時間を十分長く設定することで、また同時に操作する操作する操作手段の数をより多く設定することで、その可能性は更に低くなる。従って、ユーザが操作を誤って流量計１がメンテナンスモードへ移行する可能性を従来よりも低減することができる。これにより、メンテナンスモードにおける各種機能や各種パラメータ等の情報が誤って設定される可能性を低減することができる。
【００４７】
また、本実施形態における流量計１によれば、ＣＰＵ３１によりメンテナンスモードへ移行したときに、表示部４ａの、メンテナンスモードへ移行したことを示す警報表示灯４４が点灯されるので、メンテナンスモードに移行したことをユーザに報知することができる。これにより、ユーザが操作を誤ってメンテナンスモードに移行した場合でも、メンテナンスモードにおける各種機能や各種パラメータ等の情報が誤って設定される等の更なる誤操作の可能性を低減することができる。
【００４８】
また、本実施形態における流量計１によれば、操作部４ｂの少なくとも１つのキーに対する操作に基づいて、表示モード及び設定モードのうち何れか一方のモードへ移行するので、ユーザが任意の操作手段を操作することにより、表示モード又は設定モードの所望のモードへ移行することが可能となる。
【００４９】
また、本実施形態における流量計１によれば、ＣＰＵ３１によりメンテナンスモードへ移行したときに、操作部４ｂの少なくとも１つのキーに対する操作に基づいて、所定の処理が実行されるので、例えば他のモードでは実行できない処理をメンテナンスモードのみで実行させることが可能となる。これにより、メンテナンス担当者のみがメンテナンスモード固有の処理を実行することができる。
【００５０】
また、本実施形態における流量計１によれば、所定の処理が、表示モード又は設定モードのときに実行される処理と異なるので、ユーザが同じ操作をした場合でも、メンテナンスモードと、表示モード又は設定モードとで異なる処理を実行することができる。
【００５１】
また、本実施形態における流量計１によれば、ＣＰＵ３１により設定モードへ移行したときに、操作部４ｂの少なくとも１つのキーに対する操作に基づく情報が設定されるので、ユーザが任意の操作手段を操作することにより、各種機能や各種パラメータ等の所望の情報を設定することが可能となる。
【００５２】
また、本実施形態における流量計１によれば、ＣＰＵ３１により表示モードへ移行したときに、流れセンサ１２により検出された流量に関する情報が７セグメントディスプレイ４１に表示されるので、検出された流量に関する情報をユーザに報知することができる。
【００５３】
また、本実施形態における流量計１によれば、メンテナンスモードと、表示モードと、設定モードとの間で相互に移行可能であるので、何れのモードからでも所望のモードへ移行することができる。
【００５４】
なお、本発明の構成は、前述の実施形態にのみ限定されるものではなく、本発明の要旨を逸脱しない範囲内において種々変更を加えてもよい。
【図面の簡単な説明】
【００５５】
【図１】本発明の実施形態に係る流量計の斜視図である。
【図２】図１の流量計の計測部を流量計ボディ部から分離させた状態を示す斜視図である。
【図３】（Ａ）は図１の流量計の正面図であり、（Ｂ）は図１の流量計の側面図（（Ａ）の矢印Ｂ方向から見た図）であり、（Ｃ）は図１の流量計の平面図（（Ａ）の矢印Ｃ方向から見た図）である。
【図４】図３（Ｂ）の流量計のＩＶ−ＩＶ部分における断面図である。
【図５】図１の流量計の計測部に設けられた流れセンサを示す斜視図である。
【図６】図５の流れセンサをＶＩ−ＶＩ方向から見た場合の端面図である。
【図７】図１の流量計の計測部に設けられた制御部の機能的構成を示すブロック図である。
【図８】図１の流量計によって検出された流量を示すマップである。
【図９】図１の流量計の表示部及びこの表示部に表示された情報を示すものであって、（Ａ）は瞬時流量を示す図、（Ｂ）は瞬時流量の積算値を示す図である。
【図１０】図１の流量計の表示部及びこの表示部に表示された情報を示すものであって、メンテナンスモードへ移行したことを示す図である。
【符号の説明】
【００５６】
１…流量計
３ｃ…バイパス流路
４ａ…表示部
４ｂ…操作部
７…管路
１２…流れセンサ
３１…ＣＰＵ
４１…７セグメントディスプレイ
４４…警報表示灯
５１…状態キー
５２…下キー
５３…上キー
５４…入力キー
【図１】
2009115807.tif 000003
【図２】
2009115807.tif 000004
【図３】
2009115807.tif 000005
【図４】
2009115807.tif 000006
【図５】
2009115807.tif 000007
【図６】
2009115807.tif 000008
【図７】
2009115807.tif 000009
【図８】
2009115807.tif 000010
【図９】
2009115807.tif 000011
【図１０】
2009115807.tif 000012